(57)【特許請求の範囲】
【請求項１】
現在位置情報を取得する位置取得部を備えた携帯端末と、前記携帯端末から受信する現在位置情報及び当該携帯端末を所持する利用者の属性に基づいて避難情報を提供する遠隔のセンタ装置と、を備える避難情報提供システムであって、
前記センタ装置は、
前記利用者の属性情報と該利用者が所持する携帯端末の識別情報とを対応付けて記憶する利用者情報記憶部と、
各地の避難所及び避難所の設備を避難所情報として記憶した避難所情報記憶部と、
地図情報を記憶した地図情報記憶部と、
前記避難所情報に基づき前記利用者の属性情報に適応する設備を備えた避難所を判別し、前記携帯端末より受信した前記現在位置情報から所定範囲内で当該携帯端末の利用者の属性情報に適応可能な避難所を避難場所として決定する避難場所検索部と、
前記決定した避難場所の情報を含む避難情報を該当携帯端末に送信する避難情報出力部と、
を備えたことを特徴とする避難情報提供システム。
【請求項２】
前記センタ装置は、
前記利用者の身体的又は生活上の特性を示す情報として前記属性情報を記憶し、さらに、該属性情報に適応する前記避難所の設備を適性情報として予め記憶する適性情報記憶部を備え、
前記避難場所検索部は、
前記避難所情報と前記適性情報を用いて前記利用者の属性情報に適応可能な避難所を判別する請求項１に記載の避難情報提供システム。
【請求項３】
前記携帯端末は、さらに、前記センタ装置又は外部の装置から災害の発生又は災害発生の予測による災害情報を受信したときに前記センタ装置に前記現在位置情報を送信する通信制御部を備える請求項１または２に記載の避難情報提供システム。
【請求項４】
前記センタ装置は、
さらに、前記決定された避難場所の設備と利用者の属性情報に基づき、利用者が携行すべき携行品を判定する携行品判定部を備え、
前記避難情報出力部は前記判定された携行品の情報を含む前記避難情報を前記携帯端末に送信する請求項１から３の何れかに記載の避難情報提供システム。
【請求項５】
前記センタ装置は、
さらに、前記地図情報に記憶されている建物の少なくとも一部について耐災害性能及び
設備を建物情報として予め記憶した地理情報記憶部を備え、
前記避難場所検索部は、前記耐災害性能が発生災害への耐性を示している建物を前記避
難場所の候補とし、前記避難所情報記憶部に記憶された避難所及び前記候補として抽出された建物の中から前記避難場所を検索する請求項１から４の何れかに記載した避難情報提供システム。
【発明の詳細な説明】
【技術分野】
【０００１】
本発明は、災害等が発生したとき又はその予測がなされた場合に、利用者に対して適切な避難先を提示する避難情報提供システムに関する。
【背景技術】
【０００２】
従来、災害などが発生した場合の避難場所を、予め地域の地図上に明示したり、インターネットを介して検索できるようにしたシステムが提案されている。例えば、特許文献１には、携帯端末から予め指定された位置または現在位置をセンタで受信し、この位置の近辺となる避難場所を検索して避難場所と安全区域のデータを示す地図情報を携帯端末に送信する防災情報提供システムが提案されている。
【先行技術文献】
【特許文献】
【０００３】
【特許文献１】特開２００６−３３３３５４号公報
【発明の概要】
【発明が解決しようとする課題】
【０００４】
しかしながら、利用者によって最適な避難場所は異なる。例えば、健常な若者と老人や乳幼児連れの親、ハンディキャップのある利用者では相応しい備蓄設備が異なるため、避難場所を選定するに当たり、全ての利用者を一般化して考えることは必ずしも適切でない。同様に、避難先の備蓄設備の状況に応じて利用者毎に異なる携行品が必要となる場合もある。
【０００５】
また、災害規模と各地の建物の耐災害性能によっても最適な避難場所が異なってくる。例えば、発生した災害について現在利用者の居る建物や近隣の建物の耐性が高い場合には、予め指定された避難所に急いで避難するよりも耐性の高い建物に留まっている方が好適となることもある。
【０００６】
このため、特許文献１のように、一律に最寄の避難場所を案内するだけでは、利用者に最適なサポート体制が整っていない避難場所を案内したり、不用意な移動を促してしまうおそれがあり、災害により地域が混乱している状況で提示する情報としては必ずしも適切でないという問題があった。
【０００７】
本発明は、上記の課題に鑑みてなされたもので、災害等が発生したとき又はその予測がなされた場合に、個々の利用者にとって適切な避難場所が提示できる避難情報提供システムの提供を目的とする。
【課題を解決するための手段】
【０００８】
上記の目的を達成するために本発明による避難情報提供システムは、現在位置情報を取得する位置取得部を備えた携帯端末と、前記携帯端末から受信する現在位置情報及び当該携帯端末を所持する利用者の属性に基づいて避難情報を提供する遠隔のセンタ装置と、を備える避難情報提供システムであって、前記センタ装置は、前記利用者の属性情報と該利用者が所持する携帯端末の識別情報とを対応付けて記憶する利用者情報記憶部と、各地の避難所及び避難所の設備を避難所情報として記憶した避難所情報記憶部と、地図情報を記憶した地図情報記憶部と、前記避難所情報に基づき前記利用者の属性情報に適応する設備を備えた避難所を判別し、前記携帯端末より受信した前記現在位置情報から所定範囲内で当該携帯端末の利用者の属性情報に適応可能な避難所を避難場所として決定する避難場所検索部と、前記決定した避難場所の情報を含む避難情報を該当携帯端末に送信する避難情報出力部と、を備えることを特徴とした。
【０００９】
また、本発明による避難情報提供システムにおいて、前記センタ装置は、前記利用者の身体的又は生活上の特性を示す情報として前記属性情報を記憶し、さらに、該属性情報に適応する前記避難所の設備を適性情報として予め記憶する適性情報記憶部を備え、前記避難場所検索部は、前記避難所情報と前記適性情報を用いて前記利用者の属性情報に適応可能な避難所を判別するようにしてもよい。
【００１０】
さらに、本発明による避難情報提供システムにおいて、前記携帯端末は、さらに、前記センタ装置又は外部の装置から災害の発生又は災害発生の予測による災害情報を受信したときに前記センタ装置に前記現在位置情報を送信する通信制御部を備えるようにしてもよい。
【００１１】
また、本発明による避難情報提供システムにおいて、前記センタ装置は、さらに、前記決定された避難場所の設備と利用者の属性情報に基づき、利用者が携行すべき携行品を判定する携行品判定部を備え、前記避難情報出力部は前記判定された携行品の情報を含む前記避難情報を前記携帯端末に送信するようにしてもよい。
【００１２】
また、本発明による避難情報提供システムにおいて、前記センタ装置は、さらに、前記
地図情報に記憶されている建物の少なくとも一部について耐災害性能及び設備を建物情報
として予め記憶した地理情報記憶部を備え、前記避難場所検索部は、前記耐災害性能が発
生災害への耐性を示している建物を前記避難場所の候補とし、前記避難所情報記憶部に記憶された避難所及び前記候補として抽出された建物の中から前記避難場所を検索するようにしてもよい。
以上
【発明の効果】
【００１３】
本発明によれば、災害等が発生したとき又はその予測がなされた場合に、個々の利用者にとって適切な避難場所を提示することが可能となる。また、避難場所に応じて個々の利用者に必要となる携行品の情報を予め提示することができる。さらに、予め指定された避難所の他に、周辺地域の建物の中から災害の状況に応じて適切な避難先を提示することが可能となる。
【図面の簡単な説明】
【００１４】
【図１】本発明の避難情報提供システムの全体構成を示す図
【図２】本発明の避難情報提供システムの携帯端末を示すブロック図
【図３】本発明の避難情報提供システムのセンタ装置を示すブロック図
【図４】本発明の避難情報提供システムの動作を示すシーケンス図
【発明を実施するための形態】
【００１５】
以下、本発明の実施形態について、図面を参照して具体的に説明する。
本実施形態では、災害時において利用者に最適な避難場所を選定し、携帯端末を用いて利用者に避難情報を提示する避難情報提供システムについて例示して説明する。本実施形態の避難情報提供システム１では、災害が発生したとき又は発生が予測されたときに、監視センタ２にて携帯端末３の利用者毎にその利用者の生活上の傾向や特性といった属性情報を鑑みて避難場所が選定され、選定された避難場所までの経路が避難情報として携帯端末３に提供される。
【００１６】
まず、本実施形態の避難情報提供システム１の全体構成について説明する。図１は、避難情報提供システム１の構成を示す図である。図１に示すように、避難情報提供システム１は、利用者が所持する携帯端末３と、利用者の避難場所を選定する監視センタ２に配置されるセンタ装置４と、携帯端末３に災害情報を配信する災害情報配信装置５とを備えている。これらの携帯端末３と監視センタ２と災害情報配信装置５は、互いにネットワーク６（公衆電話網、インターネット、携帯電話網）を介して通信可能に構成されている。
【００１７】
災害情報配信装置５は、災害情報の配信プロバイダ（携帯電話の通信事業者などの災害情報配信サービスを提供する事業者）が管理する装置である。なお、本実施形態では、配信プロバイダが災害情報として緊急地震速報を配信する例について説明するが、本発明の範囲はこれに限定されるものではない。すなわち、本発明の災害情報として、例えば、津波予測の情報、台風警報、火災に関する情報など、種々の災害に関する情報が災害情報として配信されてよい。
【００１８】
この災害情報配信装置５は、地震発生時に気象庁などの機関により解析された地震震源地と規模（マグニチュード）などの情報を受信すると、その地震の影響が及ぶエリアの基地局７（例えば震度３以上のエリアの基地局７）から、この地震の情報を緊急地震速報として一斉同報で配信する機能を備えている。
【００１９】
なお、この例では、地震の影響が及ぶエリアの携帯端末３（例えば震度３以上のエリアの携帯端末）にのみ緊急地震速報を配信する場合について説明するが、本発明の範囲はこれに限定されるものではない。例えば、災害情報配信装置５は、すべての携帯端末３に緊急地震速報を配信し、携帯端末３にて自己の位置情報から地震の影響が及ぶエリアであるか否かを判定してもよい。このような災害情報（緊急地震速報など）の配信方法については、既に広く知られるところであるので、ここでは詳細な説明を省略する。
【００２０】
携帯端末３は、無線通信機能を有する通信端末であり、本実施形態では携帯電話を例に説明する。本発明の携帯端末３は、携帯電話に限らず無線通信機能を備えた通信端末であればよく、ＰＤＡやタブレット端末、パソコン、ナビゲーション装置などであってもよい。
【００２１】
携帯端末３は、災害情報配信装置５から災害情報（緊急地震速報）を受信すると、基地局７やネットワーク６を介して災害受信信号をセンタ装置４に送信し、緊急地震速報を受信したことを外部に通知する機能を備えている。また、携帯端末３は、この災害受信信号として、ＧＰＳ衛星８から受信したＧＰＳ信号に基づき算出した現在の位置情報（緯度・経度情報）をセンタ装置４へ送信する機能を備えている。
【００２２】
監視センタ２は、複数の対象者に避難情報提供サービスを提供する組織（警備保障会社など）により管理運営される施設である。監視センタ２に配置されるセンタ装置４は、携帯端末３から災害受信信号を受信すると、データベースを参照してその携帯端末３の利用者を特定し、この利用者に最適となる避難場所を選定する機能を備えている。データベースには、利用者毎に属性情報として年齢や性別、子供連れの有無、身体的ハンディキャップなどが登録されており、また各地の避難所について、おむつや離乳食の備蓄有無、冷暖房の有無、洋式トイレの有無といった設備情報が記憶されている。センタ装置４は、利用者の属性と避難所の設備情報に基づいて、利用者の現在位置から所定範囲内でも最も適切となる避難所を避難場所として決定する。そして、そこまで移動する避難経路の情報を含む避難情報を携帯端末３に送信する。
【００２３】
＜携帯端末＞
以下、携帯端末３の具体的な構成について図２を参照して説明する。図２は、携帯端末３の構成の一例を示すブロック図である。図２に示すように携帯端末３は、ＧＰＳ信号受信用とネットワーク用の共用アンテナ３１を用いて無線通信を行う無線通信部３２と、利用者が操作して情報入力を行うための入力部３３と、ＲＯＭ／ＲＡＭなどで構成される記憶部３４と、ＬＣＤなどで構成される表示部３５を備えている。また、携帯端末３は、これら各部の動作を制御する制御部３６を備えている。
【００２４】
無線通信部３２は、基地局７やネットワーク６を介してセンタ装置４および災害情報配信装置５と通信する送受信部３２１と、ＧＰＳ衛星８から送信されるＧＰＳ信号を受信するＧＰＳ受信部３２２を含んでいる。
【００２５】
入力部３３は、各種の入力ボタンやテンキーなどで構成されており、所定のボタンやキーの入力操作によって制御部３６に信号入力が行われ、利用者による情報入力がなされる。
なお、これに限定されず、入力部３３は表示部３５と一体構成された液晶タッチパネルディスプレイにより実現されてよく、液晶タッチパネルディスプレイに表示される各種の入力を行う操作シンボルを利用者が選択することで制御部３６に信号入力が行われる構成であってよい。
【００２６】
記憶部３４には、ＧＰＳ衛星８から受信したＧＰＳ信号に基づいて算出した現在位置情報のほかに、自装置を特定するための識別情報や各種プログラムなどが記憶される。
表示部３５には、ネットワーク６を介して受信した災害情報や避難情報などが表示される。
【００２７】
制御部３６は、ＣＰＵ、ＲＯＭ、ＲＡＭ等からなるマイクロコンピュータ及びその周辺回路で構成され、携帯端末３の各種の動作の制御を行う機能を備えている。制御部３６は、このマイクロコンピュータ上で実行されるコンピュータプログラムによって実現される機能モジュールとして、位置取得部３６１、通信制御部３６２、表示制御部３６３を有している。
【００２８】
位置取得部３６１は、ＧＰＳ受信部３２２が受信するＧＰＳ信号から現在位置情報（緯度・経度情報）を算出し、この現在位置情報を、算出したときの時刻情報とともに記憶部３４に記憶する。また位置取得部３６１は、送受信部３２１が災害情報配信装置５から緊急地震速報（災害情報）を受信すると現在位置情報を算出して通信制御部３６２に出力する。また位置取得部３６１は、センタ装置４から位置要求信号を受信すると、例えば１分間隔でＧＰＳ受信部３２２から受信するＧＰＳ信号から現在位置情報を算出し、算出したときの時間情報と対応させて記憶部３４に記憶するとともに通信制御部３６２に出力する。
【００２９】
通信制御部３６２は、送受信部３２１が災害情報配信装置５から緊急地震速報を受信すると、センタ装置４に災害受信信号を送信する制御を行う。災害受信信号は、携帯端末３が緊急地震速報を受信したことを監視センタ２に通報する信号である。センタ装置４に送信される災害受信信号には、受信した緊急地震速報と記憶部３４に記憶された識別情報と位置取得部３６１が取得した現在位置情報とが含まれる。
また、通信制御部３６２は、センタ装置４から位置要求信号を受信すると、位置取得部３６１が取得する現在位置情報を定期的にセンタ装置４に送信する制御を行う。
【００３０】
表示制御部３６３は、緊急地震速報を受信したときに、この情報を表示部３５に表示出力する。また、表示制御部３６３は、センタ装置４から避難情報を受信すると、避難情報に含まれる地図情報上に位置取得部３６１にて取得した現在位置情報を重畳して表示するよう表示部３５に出力する。
【００３１】
＜センタ装置＞
次に、センタ装置４の具体的な構成について、図３を参照して説明する。図３は、センタ装置４の構成の一例を示すブロック図である。図３に示すようにセンタ装置４は、ネットワーク６に接続されており携帯端末３と通信する通信部４１と、ＨＤＤやＲＯＭ／ＲＡＭなどで構成される記憶部４２と、これら各部の動作を制御する制御部４３を備えている。また、センタ装置４は、ＬＣＤなどで構成されて各種の情報を表示する表示部４４と、キーボードやポインティングデバイスなどで構成される操作部４５とを備えて監視員によって監視されている。
【００３２】
記憶部４２は、利用者及び利用者が所持する携帯端末３の情報が予め登録された利用者情報データベース（利用者情報ＤＢ）と、各地の避難所の場所や設備を避難所情報として予め記憶した避難所情報データベース（避難所情報ＤＢ）と、利用者の属性について適応可能な避難所設備を対応付けた適性情報データベース（適性情報ＤＢ）と、携帯端末３から受信する現在位置情報を管理する位置管理データベース（位置管理ＤＢ）と、地図情報と、地図情報に記憶された建物について耐災害性能と設備を建物情報として予め記憶した地理情報データベース（地理情報ＤＢ）とを含んでいる。また、この記憶部４２には、センタ装置４で用いる各種プログラムが記憶されている。
【００３３】
利用者情報データベースは、本発明の利用者情報記憶部であって、予め監視センタ２の運営事業者と契約した利用者の氏名、利用者の属性を示す情報（属性情報）、住所、所持する携帯端末３の識別情報などの情報が、それぞれ対応付けて記憶されている。ここで、利用者の属性情報とは、利用者の生活上の傾向や特性を推測可能な情報であって本実施形態では、性別、年齢、子供連れの有無（乳幼児が居るか否か）、職業、体格、持病、身体障害の情報が含まれる。属性情報としては、こういった客観的な情報の他に、利用者が自ら入力した主観的な情報も含まれていてよい。また、属性情報の具体的な項目はこれに限定されるものではなく、少なくとも年齢と性別の情報を含んでいればよい。
【００３４】
避難所情報データベースは、本発明の避難所情報記憶部であって、予め地域ごとに指定された避難所の所在地、収容人数、備蓄品を含む設備の情報が、それぞれ対応付けて記憶されている。例えば、設備の情報としては、おむつや離乳食の備蓄有無、冷暖房の有無、洋式トイレの有無、といった情報が記憶される。
適性情報データベースは、本発明の適性情報記憶部であって、利用者の属性情報と当該利用者に適応する相応しい設備の情報とが対応付けられて記憶されている。例えば、利用者が８０歳以上であるという属性情報と設備の情報として冷暖房設備とが対応して記憶され、子供連れという属性情報と設備の情報として離乳食及びおむつの備蓄とが対応して記憶される。
地理情報データベースは、本発明の地理情報記憶部であって、地図情報に記憶された大規模施設など少なくとも一部の建物について耐震等級や耐火等級など耐災害性能と、収容人数、備蓄品を含む設備の情報が、それぞれ対応付けて記憶されている。
【００３５】
制御部４３は、ＣＰＵ、ＲＯＭ、ＲＡＭ等からなるマイクロコンピュータ及びその周辺回路で構成され、センタ装置４の各種の動作の制御を行う機能を備えている。制御部４３は、このマイクロコンピュータ上で実行されるコンピュータプログラムによって実現される機能モジュールとして、通信制御部４３１と、避難場所検索部４３２と、携行品判定部４３３と、経路検索部４３４と、避難情報出力部４３５を有している。
【００３６】
通信制御部４３１は、センタ装置４と携帯端末３との間の通信処理を制御する。この通信制御部４３１は、携帯端末３から受信する災害受信信号、現在位置情報を各部に出力する。また、通信制御部４３１は、避難情報出力部４３５が出力する避難情報を該当の携帯端末３に送信する。
【００３７】
避難場所検索部４３２は、携帯端末３から災害受信信号を受信したときに、これに含まれた識別情報を利用者情報データベースと照合して携帯端末３を所持する利用者を特定し、当該利用者の属性情報に適応する避難場所を選定する。
具体的には、まず、避難場所検索部４３２は、携帯端末３を所持する利用者を特定するとこの利用者の属性情報を抽出し、適性情報データベースを用いて当該属性情報に対応付いている設備の情報を必要設備として抽出する。またこのとき、避難場所検索部４３２は、携帯端末３から受信する災害受信信号に含まれた緊急地震速報から現地の災害規模を判別し、地理情報データベースからこの災害規模に耐性のある耐災害性能を有した建物を避難候補建物として抽出する。例えば、耐震等級が現地の震度を上回っていれば避難候補建物として抽出する。
【００３８】
そして、避難場所検索部４３２は、避難所情報データベース及び抽出された避難候補建物の情報を参照して、当該必要設備を備えた避難所又は避難候補建物が利用者の現在位置から所定範囲（例えば半径10km）内にあるか否かを判別する。該当する避難所又は避難候補建物があればこのうち最寄のものを避難場所として決定する。また、該当する避難所又は避難候補建物がなければ、現在位置から所定範囲（例えば半径10km）内で最も近い避難所又は避難候補建物を避難場所として決定する。
【００３９】
携行品判定部４３３は、避難所情報データベース又は地理情報データベースを参照し、避難場所検索部４３２が決定した避難場所の設備と利用者の属性情報に適応した必要設備とを比較して、必要設備のうちこの避難場所に不足している設備の情報を不足設備情報として抽出する。そして、携行品判定部４３３は、不足設備情報から利用者が携行すべき携行品を判定する。これは、不足設備をそのまま携行品として判定してよく、又は不足設備に対応する手回り品を携行品として判定してもよい。
【００４０】
経路検索部４３４は、地図情報を参照して利用者の現在位置から避難場所検索部が決定した避難場所まで移動する避難経路を検索し、利用者ごとの避難経路を決定する。経路検索部により決定される避難経路は、同一経路に避難者が集中しないように複数の避難経路から利用者毎に経路を割り振るよう設定することが好ましい。また、避難経路上に土砂崩れや津波による浸水等が想定される危険箇所がある場合には、それを避けた安全な避難系を設定する。
【００４１】
避難情報出力部４３５は、避難場所検索部４３２が決定した避難場所及び経路検索部４３４が決定した避難経路を地図情報上に重畳して避難情報として生成する。また、避難情報出力部４３５は、携行品判定部４３３が利用者の携行品について判定していればこの携行品の情報を避難情報に含めて出力する。避難情報出力部４３５が出力した避難情報は、通信制御部４３１により該当する携帯端末３に送信される。
【００４２】
＜動作の説明＞
以上のように構成された避難情報提供システム１の処理の流れについて図４を参照しながら説明する。図４は避難情報提供システム１の一連の動作を示すシーケンス図である。
まず、災害情報配信装置５により携帯端末３へ災害情報が配信される（ステップＳＴ１）。携帯端末３は、災害情報を受信すると現在位置情報を算出して（ステップＳＴ２）、災害情報と現在位置情報と自装置の識別情報を含む災害受信情報をセンタ装置４に送信する（ステップＳＴ３）。
【００４３】
災害受信情報を受信したセンタ装置４の避難場所検索部４３２は、災害受信情報に含まれる識別情報を用いて利用者情報データベースを照合し、当該携帯端末３を所持する利用者を特定する（ステップＳＴ４）。続いて、避難場所検索部４３２は、特定された利用者の属性と適性情報データベースを参照して、利用者の属性情報に適応する必要設備の情報を抽出する（ステップＳＴ５）。また、避難場所検索部４３２は、地理情報データベースを参照して、災害受信信号に含まれた災害情報に耐性のある建物を避難候補建物として抽出する（ステップＳＴ６）。
【００４４】
そして、避難場所検索部４３２は、避難所情報データベース及び抽出された避難候補建物の情報を参照して、必要設備を備えた避難所又は避難候補建物が利用者の現在位置から所定範囲（例えば半径10km）内にあるか判別する（ステップＳＴ７）。該当する避難所又は避難候補建物があればこれらのうち最も近いものを避難場所として決定し、また、該当する避難所又は避難候補建物がなければ最も近い避難所又は避難候補建物を避難場所として決定する（ステップＳＴ８）。
【００４５】
また、センタ装置４の携行品判定部４３３は、利用者の属性情報に適応する必要設備のうちこの避難場所に不足している設備の情報から利用者が携行すべき携行品を判定する（ステップＳＴ９）。また、センタ装置４の経路検索部４３４は、地図情報を参照して利用者の現在位置から避難場所まで移動する避難経路を決定する（ステップＳＴ１０）。そして、センタ装置４の避難情報出力部４３５は、決定された避難場所と避難経路とを地図情報上に重畳して避難情報として生成し（ステップＳＴ１１）、該当する携帯端末３に送信する（ステップＳＴ１２）。携帯端末３は、避難情報を受信すると避難情報に含まれる地図情報上に現在位置を重畳して表示出力する（ステップＳＴ１３）。
【００４６】
このように、本実施形態では利用者の属性に応じて、避難先として適応可能な相応しい設備を抽出し、このような設備が整った避難先を優先的に選定することができる。また、利用者の属性に相応しい設備が整った避難先がない場合には、必要となる携行品の情報を予め利用者に提示することができる。更に、地域の避難所として予め指定されている施設以外に、発生した災害に対して耐性のある地域の建物を含めて適切な避難先を決定することが可能となる。
【００４７】
以上、本発明の実施の形態を例示により説明したが、本発明の範囲はこれらに限定されるものではなく、請求項に記載された範囲内において目的に応じて変更・変形することが可能である。
【符号の説明】
【００４８】
１    避難情報提供システム
２    監視センタ
３    携帯端末
３１  アンテナ
３２  無線通信部
３３  入力部
３４  記憶部
３５  表示部
３６  制御部
３６１位置取得部
３６２通信制御部
３６３表示制御部
４    センタ装置
４１  通信部
４２  記憶部
４３  制御部
４３１通信制御部
４３２避難場所検索部
４３３携行品判定部
４３４経路検索部
４３５避難情報送信部
４４  表示部
４５  操作部
５    災害情報配信装置
６    ネットワーク
７    基地局
８    ＧＰＳ衛星
【図１】
0005905772.tif 000002
【図２】
0005905772.tif 000003
【図３】
0005905772.tif 000004
【図４】
0005905772.tif 000005